(57)【要約】【目的】携帯電話の如き携帯端末の利便性をより十全に確保し得る電話機装置を提供する。【構成】交換機からの局線に接続されるべき通話路を介して送受話機能を奏する通話回路を含む電話機装置であり、通話路コネクタプラグを備えた携帯端末の該通話路コネクタプラグに着脱自在に接続され得るコネクタジャックと、該コネクタジャックに該コネクタプラグが接続されている限り、該通話路を該コネクタジャックに接続するスイッチ手段とを含む。該携帯端末は、該接続された通話路を介して通話をなす。【選択図】  図１
2004289551.tif 000002
【特許請求の範囲】
【請求項１】
交換機からの局線に接続されるべき通話路を介して送受話機能を奏する通話回路を含む電話機装置であって、
携帯端末に備えられた通話路コネクタプラグに着脱自在に接続され得るコネクタジャックと、
前記コネクタジャックに前記通話路コネクタプラグが接続されている限り、前記通話路を前記コネクタジャックに接続するスイッチ手段と、
を含むことを特徴とする電話機装置。
【請求項２】
交換機からの局線に接続されるべき通話路を介して送受話機能を奏する通話回路を含む電話機装置であって、
通話路コネクタプラグを備えた携帯端末と、
前記通話路コネクタプラグに着脱自在に接続され得るコネクタジャックと、
前記コネクタジャックに前記通話路コネクタプラグが接続されている限り、前記通話路を前記コネクタジャックに接続するスイッチ手段と、
を含むことを特徴とする電話機装置。
【請求項３】
前記携帯端末は、前記コネクタジャックに前記通話路コネクタプラグが接続されている限り、前記通話路を前記携帯端末の通話回路に接続するスイッチ手段を含むことを特徴とする請求項２記載の電話機装置。
【請求項４】
前記携帯端末は、前記通話路コネクタプラグを介して供給される電力によって動作可能であることを特徴とする請求項２記載の電話機装置。
【請求項５】
通話量に応じた課金に対する決済方法を操作者の指示により選択する手段を更に含むことを特徴とする請求項１又は２記載の電話機装置。
【請求項６】
前記携帯端末が前記通話路との接続を許与されるべき端末であることを認証する手段を更に含むことを特徴とする請求項１又は２記載の電話機装置。
【発明の詳細な説明】
【０００１】
【発明の属する技術分野】
本発明は、公衆電話の如き電話機装置及び移動電話又はＰＨＳ（Ｐｅｒｓｏｎａｌ  Ｈａｎｄｙ  Ｐｈｏｎｅ  Ｓｙｓｔｅｍ）の如き携帯端末に関する。
【０００２】
【従来の技術】
移動電話又はＰＨＳと称される携帯電話の利用を支える無線中継局の拡充が進み、携帯電話が広く利用されている。その一方で、従来街角で多数見かけられた公衆電話ボックスは撤去される傾向にある。かかる携帯電話は、無線中継局が近辺にあれば何時でも何処でも通話可能であるばかりでなく、予め登録可能な内蔵電話帳を駆使することで容易な発信が可能であり、更にはインターネットを介したネットサイトとの通信も可能なことから非常に利便性の高いものである。
【０００３】
【発明が解決しようとする課題】
しかしながら、携帯電話の利便性の維持にはなお幾つかの問題が存在する。例えば、都市部から離れた地域では近隣に無線中継局が存在しない場合があり、無線電話網との接続ができずに通話が不可能となる。また、携帯電話の動作に必要な電力が内蔵バッテリーにより供給されることから、この蓄電電力が消耗した場合にはもとより通話が不可能になる。
【０００４】
そこで、本発明の目的は、携帯端末の利便性をより十全に確保し得る電話機装置を提供することである。
【０００５】
【課題を解決するための手段】
第１の発明による電話機装置は、交換機からの局線に接続されるべき通話路を介して送受話機能を奏する通話回路を含む電話機装置であり、携帯端末に備えられた通話路コネクタプラグに着脱自在に接続され得るコネクタジャックと、該コネクタジャックに該通話路コネクタプラグが接続されている限り、該通話路を該コネクタジャックに接続するスイッチ手段と、を含むことを特徴とする。
【０００６】
第２の発明による電話機装置は、交換機からの局線に接続されるべき通話路を介して送受話機能を奏する通話回路を含む電話機装置であり、通話路コネクタプラグを備えた携帯端末と、該通話路コネクタプラグに着脱自在に接続され得るコネクタジャックと、該コネクタジャックに該通話路コネクタプラグが接続されている限り、該通話路を該コネクタジャックに接続するスイッチ手段と、を含むことを特徴とする。
【０００７】
【発明の実施の形態】
本発明の実施例について添付の図面を参照して詳細に説明する。
図１は、本発明による電話機装置として公衆電話端末及び携帯電話端末を含むシステム全体の構成を示している。本実施例においては，電話機装置として通常の公衆電話端末を含む構成例を示している。
【０００８】
公衆電話端末２０ａ乃至２０ｃの複数が公衆電話網４０に接続される。公衆電話網４０は、接続される加入者電話に電話サービスを提供する通常のネットワークである。説明の容易性から３つの公衆電話端末２０ａ乃至２０ｃが示されているが、それ以上多数の公衆電話端末が接続され得る。
公衆電話端末２０ａ乃至２０ｃの各々は、通常の公衆電話の公衆電話機能を有すると共に、接続ケーブル３０を介して携帯電話端末１０を接続する機能を有する。これにより、公衆電話端末２０ａ乃至２０ｃの各々は、携帯電話端末１０に対して公衆電話網４０へのアクセスポイントとして機能する。
【０００９】
本発明による携帯電話端末１０は、携帯電話網５０を介した携帯電話機能を有すると共に、接続ケーブル３０を介して公衆電話端末２０ａ乃至２０ｃの何れかに接続され得る。本図の例では公衆電話装置２０ｂを介して接続されている。
接続ケーブル３０は、電源路３１と通話路３２を含む。電源路３１により、公衆電話端末２０ｂから携帯電話端末１０に電力が供給される。通話路３２により、公衆電話端末２０ｂを介して公衆電話網５０との間で通話のための信号が相互に伝送される。
【００１０】
接続ケーブル３０の一端は、携帯電話端末１０の例えば底部に設けられた接続コネクタ６１に繋げられ、その他端は公衆電話端末２０ａ乃至２０ｃに設けられた同様の接続コネクタ６２に繋げられる。その運用形態としては、公衆電話端末２０ａ乃至２０ｃの各々に接続ケーブル３０を常時備えるか、又は携帯電話端末１０の備品として備える形態の何れかの形態が考えられる。接続ケーブル３０は、携帯電話端末１０及び公衆電話端末２０ａ乃至２０ｃに対して着脱自在である。尚、携帯電話端末１０は、移動電話又はＰＨＳ電話の如き携帯端末であり、対応して携帯電話網５０は移動電話網又はＰＨＳ電話網である。
【００１１】
図２は、図１に示される接続状態の携帯電話端末１０及び公衆電話端末２０ｂのより詳細の構成を示している。尚、図１に示される公衆電話端末２０ａ乃至２０ｃの何れの構成も同一である。公衆電話端末２０ｂは、メイン処理部２１と、入力部２２と、表示部２３と、課金処理部２５と、回線制御部２４と、認証処理部２６と、携帯電話インターフェース部２７と、電力供給部２８と、通話回路２９と、スイッチ回路３９と、接続コネクタ６２とを有する。
【００１２】
メイン処理部２１は、入力部２２、表示部２３、課金処理部２５、回線制御部２４、認証処理部２６、携帯電話インターフェース部２７、通話回路２９及びスイッチ回路３９に接続され、これら各部の処理制御を行う。メイン処理部２１は、通常のＣＰＵ及びメモリからなるコンピュータ演算装置により実現され得る。
入力部２２は、通常のダイヤル入力、暗証番号の入力及びその他の操作入力を受け付ける機能を有する。表示部２３は、メニュー画面等の画面を表示して動作状況を操作者に表示する機能を有する。課金処理部２５は、現金若しくはテレホンカード、クレジットカード又は携帯電話課金先の何れかを決済方法として課金処理を行う機能を有する。回線制御部２４は、公衆電話網４０との間の通話路を介して通話のための通信制御手順を実行する機能を有する。認証処理部２６は、携帯電話端末１０の接続ケーブル３０を介した接続に応じて携帯電話端末１０の認証を行う機能を有する。携帯電話インターフェース部２７は、電源路３１及び通話路３２を介して接続される携帯電話端末１０との間で電力供給及び通信信号の交換を各々行う機能を有する。電力供給部２８は、携帯電話端末１０にその必要な電力を供給する機能を有し、好ましくは更に携帯電話端末１０の蓄電電力を供給する機能を有する。通話回路２９は、操作者との間の音声入出力を公衆電話網４０に含まれる交換機からの局線に接続される通話路を介して送受話する機能を有する。スイッチ回路３９は、操作者の「携帯電話接続サービスの選択」の指示に応じて通常の公衆電話サービス、即ち、内部の通話回路２９を用いる構成から携帯電話端末１０との間で通話路を設ける設定に切り替えるスイッチ手段を提供する。この切り替えは、ソフトウェア制御によりなされても良いし、接続コネクタ６２の取り付けに応じてなされても良いし、更には操作者の選択指示によりなされても良い。
【００１３】
接続コネクタ６２は、電源路３１と通話路３２の各々を接続するコネクタジャック６３を有する。接続ケーブル３０のコネクタピン６４が係合することにより電源路３１と通話路３２の電気的接続がなされる。尚、コネクタジャック６３及びコネクタピン６４との組み合わせは相互に交換可能であり電源路３１と通話路３２の電気的な接続がなされれば良く、多様な形状をとり得る。
【００１４】
携帯電話端末１０は、メイン処理部１１と、入力部１２と、表示部１３と、内蔵メモリ１５と、電源部１６と、回線制御部１４と、公衆電話インターフェース部１７と、通話回路１９と、スイッチ回路３８と、接続コネクタ６１とを備える。メイン処理部１１は、入力部１２、表示部１３、内蔵メモリ１５、回線制御部１４及び公衆電話インターフェース部１７、通話回路１９、スイッチ回路３８に接続されてこれら各部の処理制御を行う。メイン処理部１１は、中央演算装置（ＣＰＵ）を含む通常のコンピュータにより実現され得る。
【００１５】
入力部１２は、ダイヤル入力及びその他操作入力を受け付ける機能を有する。表示部１３は、メニュー及び操作結果等の情報を表示する機能を有する。公衆電話インターフェース部１７は、電源路３１を介して公衆電話端末２０ｂから電力供給を受けて電源部１６に供給する機能と、通話路３２を介して公衆電話端末２０ｂとの間で通信信号を交換する機能を有する。内蔵メモリ１５は、暗証番号及び電話番号等の設定情報を格納する機能を有する。該設定情報は、入力部１２を介して操作者の入力により設定及び変更が可能である。回線制御部１４は、携帯電話網５０及び公衆電話網４０との間で通話のための通信制御手順を実行する機能を有する。電源部１６は、電源路３１を介して公衆電話端末２０からの電力供給を受けて蓄電すると共に携帯電話端末１０の各部に電力を供給する機能を有する。通話回路１９は、操作者との間の音声入出力を携帯電話網５０又は公衆電話網４０との間の通話路３２を介して送受話する機能を有する。スイッチ回路３８は、回線制御部１４おける携帯電話網５０との接続と公衆電話網４０との接続とを相互に切り替えるスイッチ手段を提供する。この切り替えは、ソフトウェア制御によりなされても良いし、操作者による接続ケーブル３０の接続に応じて、更には操作者の選択指示によりなされても良い。
【００１６】
接続コネクタ６１は、接続コネクタ６２と同様にして電源路３１と通話路３２の各々の電気的接続をなす機能を有する。
変形例として、内蔵メモリ１５は、マルチメディアカード又はスマートメディアカード等のメモリカードとして携帯電話端末１０から着脱自在にしても良い。一方、公衆電話端末２０ａ乃至２０ｃの各々にメモリカードスロットを設け、これに該メモリカードを装填することで、暗証番号及び電話帳等の設定情報を当該公衆電話端末２０ｂに転送する形態としても良い。この場合、公衆電話端末２０ｂがこの転送された電話帳を表示することで、操作者は、公衆電話端末２０ｂを直接使用して公衆電話網４０に接続することも可能になる。
【００１７】
図３は、図２に示される公衆電話端末及び携帯電話端末の処理手順のシーケンスを示している。以下、図３に示される処理シーケンスについて図２に示される構成要素を適宜参照しつつ説明する。
先ず、公衆電話端末２０ｂは、メインメニューを表示して操作者からの選択指示を待っている状態において、携帯電話端末１０を携帯する操作者から「携帯電話接続サービス」の選択を受け付け、通常の公衆電話サービスから携帯電話接続サービスに切り替える（ステップＳ１）。即ち、通話回路２９を公衆電話網４０に接続された通話路から切り離し、携帯電話端末１０の通話路に接続する。次いで、該操作者から「課金方法の選択」及び「番号通知の選択」を受け付ける（ステップＳ２）。課金方法の選択の選択肢としては、例えば、現金、テレホンカード、クレジットカード又は携帯電話課金先の如く４つの決済方法の選択肢がある。番号通知の選択肢としては、「当該公衆電話端末の番号を相手先に通知する」、「携帯電話端末の加入者番号を相手先に通知する」或いは「相手先に何れの番号も通知しない、即ち非通知」がある。
【００１８】
次に、操作者が接続ケーブル３０を携帯電話端末１０と公衆電話端末２０ｂとの間に接続する（ステップＳ３）。これに応じて公衆電話端末２０ｂは、携帯電話端末１０に給電を開始する（ステップＳ４）。給電される電力は、携帯電話端末１０の通話動作を可能とする電力量であることを要し、更には携帯電話端末１０に内蔵されるバッテリーに充電を可能とする電力量としても良い。
【００１９】
次に、公衆電話端末２０ｂは、携帯電話端末１０の認証及び課金方法の認証を行う（ステップＳ５）。かかる認証処理の内容は、携帯電話端末１０及びその操作者が公衆電話網接続サービスを受ける適正なものか否かの認証と、クレジットカード等の決済手段が適正なものであるか否かの認証とを含む。次いで、以上の認証の結果ついて判断する（ステップＳ６）。もし認証が不成功の場合には、再度メニュー画面を表示し最初のステップに戻る（ステップＳ１）。もし認証に成功した場合には次のステップに進む。
【００２０】
次に、携帯電話端末１０は、公衆電話端末２０ｂを介して公衆電話網４０との間に通話可能な通話路を設定する（ステップＳ７）。これにより、携帯電話端末１０からの発信動作が可能となる。これにより、携帯電話端末１０は、設定された通話路を介して発信先の相手電話端末との通話を行う（ステップＳ８）。併せて、通話量に応じた課金処理を行う（ステップＳ９）。
【００２１】
次に、当該通話の終了に応じて、公衆電話端末２０ｂはメインメニューを表示して操作者からの選択指示を待ち、操作者から「携帯電話接続サービス終了」の選択を受け付け、通常の公衆電話サービスに戻る（ステップＳ１０）。即ち、携帯電話端末１０との通話路を切り離し、通話回路２９を再び公衆電話網４０への通話路に接続する。次いで、公衆電話端末２０ｂは、例えば「接続ケーブル３０を外して下さい」の表示にて操作を促すようにしても良い。そして、操作者は、接続ケーブル３０を取り外すことで、携帯電話端末１０と公衆電話端末２０ｂとの間の接続を切る（ステップＳ１１）。これにより、公衆電話端末２０ｂは携帯電話端末１０への給電を終了する（ステップＳ１２）。
【００２２】
以上の処理手順のシーケンスにより、携帯電話端末１０は、公衆電話端末２０ｂを介した携帯電話接続サービスを受けることができる。かかる処理手順は、公衆電話端末２０ａ又は２０ｃにおいても同様である。
図４は、図３のステップＳ４に示される認証処理の詳細の処理手順を示している。ここで、本図に示される処理シーケンスについて図２に示される構成要素を適宜参照しつつ説明する。
【００２３】
先ず、公衆電話端末２０ｃは、携帯電話端末１０からこれに予め設定されている暗証番号を取得する（ステップＳ２１）。暗証番号の設定は、携帯電話巻末１０内の内蔵メモリ１５に設定されている。次いで、操作者からの暗証番号入力を受け付ける（ステップＳ２２）。尚、暗証番号は，ダイヤルキー入力可能な数字とするのが好ましい。
【００２４】
次に、公衆電話端末２０ｂは、先に取得された暗証番号と操作者により入力された暗証番号を比較して、認証成否（即ち認証ＯＫ）を判断する（ステップＳ２３）。もし不成功の場合には、認証に失敗したとして本処理手順を終了する。一方、暗証番号が一致して認証に成功した場合には、次のステップに進む。
次に、決済手段の投入を受け付ける（ステップＳ２４）。決済手段としては現金若しくはテレホンカード又はクレジットカードである。次いで、決済方法の種別に応じて処理を振り分ける（ステップＳ２５）。決済方法が現金若しくはテレホンカードである場合には投入額を確認し、通話に要求される額以上に相当する場合には認証をＯＫとする（ステップＳ２６）。そうでない場合には認証ＮＧとする。一方、決済方法がクレジットカードである場合には、公衆電話網４０を介して当該クレジットカード発行会社に当該クレジットカードの認証を依頼する（ステップＳ２７）。この場合、必要に応じて操作者に当該クレジットカードの暗証番号の入力を求めてクレジットカード利用者、即ち操作者の認証をなしても良い。更に、課金先を携帯電話網とする決済方法の場合には、携帯電話の加入者番号等の加入者情報を公衆電話網４０を介して課金先に送信し、携帯電話網の課金先への認証依頼を行う（ステップＳ２８）。次いで、これらの認証依頼に対する課金先の認証結果を取得する（ステップＳ２９）。最後に、これらの課金認証がＯＫであるかＮＧであるかの結果を伴って処理を終了する（ステップＳ３０）。
【００２５】
以上の処理手順の認証処理により、携帯電話端末を紛失して他人が本携帯電話接続サービスを盗用する危険を回避することができる。又、課金手段の十分なセキュリティが確保されることで、多様な決済手段を操作者は選択することができる。尚、セキュリティ上問題がなければ、クレジットカード会社等の課金先への認証依頼を割愛して暗証番号による公衆電話端末２０ａ乃至２０ｃ内部にとどまる認証処理とすることも可能である。
【００２６】
図５は、携帯電話端末及び公衆電話端末の画面例を示している。ここで、（ａ）メインメニュー画面、（ｂ）課金先選択画面、（ｃ）番号通知選択画面及び（ｄ）携帯電話画面が各々示されている。
公衆電話端末の表示画面のうちの（ａ）メインメニュー画面は、通常の公衆電話サービス、即ち、公衆電話端末の受話器及びダイヤルを通して通常の公衆電話通信を提供する旨を表示している。更に、メインメニュー画面は、「１．携帯電話接続サービスの開始」及び「２．携帯電話接続サービス終了」の選択を促すメッセージを表示して、何れかの選択を操作者に促している。
【００２７】
（ｂ）課金先選択画面は、携帯電話接続サービスのサービス料金支払方法選択メニューを提供し、操作者に、「１．現金」、「２．テレホンカード」、「３．クレジットカード」又は「４．携帯電話」の何れかを操作者に選択するように促している。  （ｃ）番号通知選択画面は、発信者番号通知選択メニューを提供し、「１．公衆電話」、「２．携帯電話番号」又は「３．非通知」の何れかを操作者に選択するように促している。かかる選択を操作者がなすことにより、発信元の電話番号として相手先に通知するを、当該公衆電話端末の番号とするか、携帯電話端末自身の電話番号とするか、更には非通知の何れかにするかを指定することができる。電話通信においては、予め登録されている番号ではない場合或いは番号非通知の場合に電話の相手先が着信を拒否する場合がある。かかる場合にも、本画面を通した番号通知の設定により発信者番号を通知してかかる不手際を回避することが可能となる。
【００２８】
携帯電話端末における（ｄ）携帯電話画面は、公衆電話網接続中と表示し、併せて発信者番号を表示している例を示している。この画面を表示することにより、携帯電話端末の操作者は通常の携帯電話網を介した通信とは異なる公衆電話端末を介した公衆電話網との接続による電話である旨を区別して認識することができる。
【００２９】
以上の実施例から明らかなように、本発明による電話機装置及び携帯端末によれば、移動電話又はＰＨＳの如き携帯端末においても公衆電話の如き通常の電話機を介した通話が可能となる。従って、無線中継局が近辺になく通話不能な状況においても、本発明による電話機装置に接続して利用することにより携帯電話の利用が可能となる。これは、電話機装置が公衆電話ボックスの電話機の如く多数の設置が見込まれるものであることからその利用可能性は高い。当然に公衆電話から直接に通話をなすことも可能であるが、日常的に使用している携帯電話の内蔵電話帳が使用可能であり容易な発信操作が可能となる。さらには、公衆電話から発信おいて電話着信先が接続を拒否されるような場合においてより有用である。更に、公衆電話網における高速通信が可能であることからインターネット利用時における高速通信を提供し得る。また、波及効果として利用頻度が格段に低下傾向にある公衆電話の利便性を回復することができる。
【００３０】
また、本発明による電話機装置は、携帯電話に電力供給をなすことが可能である。これにより、例えばバッテリーの予備や充電器を持ち歩くことも少ないのが通常である携帯電話の使用において、携帯電話のバッテリーが切れた場合にも、本発明による電話機装置に接続することで携帯電話の使用及び充電が可能である。
【００３１】
【発明の効果】
以上のように、本発明による電話機装置により、携帯端末の利便性がより十全に確保される。
【図面の簡単な説明】
【図１】本発明の実施例であり公衆電話端末及び携帯電話端末を含む全体の構成を示しているブロック図である。
【図２】図１に示される公衆電話端末及び携帯電話端末のより詳細の構成を示しているブロック図である。
【図３】図１に示される公衆電話端末及び携帯電話端末のなす処理手順を示しているシーケンス図である。
【図４】図３に示される認証処理ステップのより詳細な処理手順を示しているシーケンス図である。
【図５】公衆電話端末により表示される画面例を示している図である。
【符号の説明】
１０  携帯電話
１１  メイン処理部
１２  入力部
１３  表示部
１４  回線制御部
１５  メモリ
１６  電源部
１７  公衆電話インタフェース部
１９  通話回路
２０ａ乃至２０ｃ  公衆電話端末
２１  メイン処理部
２２  入力部
２３  表示部
２４  回線制御部
２５  課金処理部
２６  認証処理部
２７  携帯電話インタフェース部
２８  電力供給部
２９  通話回路
３０  接続ケーブル
３１  電源路
３２  通話路
３８、３９  スイッチ回路
４０  公衆電話網
５０  携帯電話網
６１、６２  接続コネクタ
６３  コネクタジャック
６４  コネクタピン
【図１】
2004289551.tif 000003
【図２】
2004289551.tif 000004
【図３】
2004289551.tif 000005
【図４】
2004289551.tif 000006
【図５】
2004289551.tif 000007